(57)【要約】      （修正有）【課題】簡易構造で、自然界に起因する音声情報を自然界に近い状態で表現させるための音声発生装置を備えた照明装置及び照明システムを提供する。【解決手段】日の入りを検知する検知手段と、前記検知手段が日の入りを検知した後に音声情報を発生させる音声情報発生手段と、前記音声情報発生手段で発生した音声情報を外部へ出力する音声情報出力手段である音声出力スピーカー１５と、前記音声情報を所定時間経過後に停止させる音声情報出力停止手段と、前記検知手段が前記日の入りを検知した後に点灯する光源であるＬＥＤ１２とを備える。【選択図】図１
0003212849.tif 000002
【実用新案登録請求の範囲】
【請求項１】
日の入りを検知する検知手段と、前記検知手段が日の入りを検知した後に音声情報を発生させる音声情報発生手段と、前記音声情報発生手段で発生した音声情報を外部へ出力する音声情報出力手段と、前記音声情報をその発生から所定時間経過後に停止させる音声情報出力停止手段と、前記検知手段が前記日の入りを検知した後に点灯する光源と、を備えた照明装置。
【請求項２】
請求項１に記載の照明装置を複数備えた照明システムであって、  第１の前記照明装置と第２の前記照明装置は、前記音声情報が異なり、かつ前記所定時間の長さが異なることを特徴とする照明システム。
【請求項３】
請求項２に記載の照明システムであって、  前記第１の前記照明装置と前記第２の前記照明装置は、前記光源から発する光の色が異なることを特徴とする照明システム。  
【考案の詳細な説明】
【技術分野】
【０００１】
本考案は、音声発生装置を備えた照明装置及び照明システムに関する。
【背景技術】
【０００２】
現代社会に生きる人々の中には、過酷な勤務環境や難しい人間関係等により多くのストレスを抱え、うつ病を発症するなど精神的に危機的な状況に陥る者もおり、社会問題の一つとして取り上げられる傾向にある。  このようなストレスを解消する一つの方法として、人々に精神的な癒しを与える効果を有する様々な関連製品が注目されている。特に自然界に起因する多くの自然現象は、人の精神に癒しを与えるものとして注目されている。
【先行技術文献】
【特許文献】
【０００３】
【特許文献１】特開２００４−２２９７０１号公報
【考案の概要】
【考案が解決しようとする課題】
【０００４】
特許文献１は、輝度変動を伴うイルミネーション情報を音圧変化するサウンド情報に、音圧変動を伴うサウンド情報を輝度変化するイルミネーション情報に変換して、目や耳で手軽に癒し効果を得ることができるバイオイルミネーション・サウンド相互変換手法を提供するものである。
【０００５】
しかしながら、特許文献１に係る発明においては、ホタルの明滅光等のイルミネーション情報やスズムシの音等のサウンド情報を入力情報として取り込む必要があるため、デジタルカメラやＣＣＤカメラ、集音マイクが必要となり、システム全体として高価となってしまうという問題があった。
また、ホタルの明滅光等のイルミネーション情報やスズムシの音等のサウンド情報が取得できない場合、システムを作動できないという問題があった。
【０００６】
本考案は、かかる問題点に鑑みてなされたものであり、簡易構造で、自然界に起因する音声情報を自然界に近い状態で表現させるための音声発生装置を備えた照明装置及び照明システムを提供することにある。
【課題を解決するための手段】
【０００７】
上記の課題を解決するために、本考案は、以下に掲げる構成とした。すなわち、日の入りを検知する検知手段と、前記検知手段が日の入りを検知した後に音声情報を発生させる音声情報発生手段と、前記音声情報発生手段で発生した音声情報を外部へ出力する音声情報出力手段と、前記音声情報を所定時間経過後に停止させる音声情報出力停止手段と、前記検知手段が前記日の入りを検知した後に点灯する光源とを備えた照明装置が提供される。
【考案の効果】
【０００８】
本考案は以上のように構成されているので、簡易構造で、自然界に起因する音声情報を自然界に近い状態で表現させるための音声発生装置を備えた照明装置及び照明システムを提供することができる。
【図面の簡単な説明】
【０００９】
【図１】本考案の実施の形態に係る音声発生装置を備えた照明装置の概略構成図である。
【図２】本考案の実施の形態に係る音声発生装置を備えた照明装置の動作を表わすブロック図である。
【図３】本考案の実施の形態に係る音声発生装置を備えた照明装置を複数用いた照明システムの概要を示す図である。
【考案を実施するための形態】
【００１０】
以下、本考案の実施の形態について、詳細に説明する。但し、図面は模式的なものであり、寸法比などは現実のものとは異なることに留意すべきである。従って、具体的な寸法比などは以下の説明を参酌して判断すべきものである。又、図面相互間においても互いの寸法の関係や比率が異なる部分が含まれていることはもちろんである。
【００１１】
また、以下に示す実施の形態は、この考案の技術的思想を具体化するための例示であって、この考案の実施の形態は、構成部品の材質、形状、構造、配置等を下記のものに特定するものではない。この考案の実施の形態は、要旨を逸脱しない範囲内で種々変更して実施できる。
【００１２】
図１は、本考案の実施の形態に係る音声発生装置を備えた照明装置１０の概略構成図である。図１中の符号１１は、ソーラーパネル（太陽電池）である。主に太陽からの光エネルギーを使い、光起電力効果を応用して電気を発生させる。符号１２は光源として発光ダイオード（ＬＥＤ）であり、電気により光を発する。符号１３は基板であり、図示は省略するが、基板１３にはＬＥＤ１２を点灯させるための点灯回路や、音声情報を発生させるための音声情報発生回路、そして、蓄電池の充放電を制御する充放電制御回路などを搭載している。符号１４は蓄電池であり、ソーラーパネル１１で変換された電気を蓄える。符号１５は音声出力スピーカーであり、音声情報発生回路で発生された音声情報を外部へ出力する。符号１６は配線であり、基板１３と蓄電池１４と音声出力スピーカー１５を電気的に接続している。符号１７はこれらの部品を収容する筐体であり、透光性を有する。なお、筐体１７の材質などは特に限定されないが、例えばペットボトル等の身近なものを使用することができる。なお、図１は、飲料水の容器として使用される空になったペットボトルを逆さまにした状態のものを筐体として用いた例である。
【００１３】
ソーラーパネル１１は筐体１７内の中央付近若しくは中央よりもやや上方に配置される。そして、ソーラーパネル１１の上面（ソーラーパネル１１の表面側）にはＬＥＤ１２が配置される。ソーラーパネル１１はＬＥＤ１２を支持する役目も備えている。ソーラーパネル１１の裏面（ＬＥＤ１２が配置されない側の面）には基板１３が配置される。蓄電池１４は、筐体１７内において、ソーラーパネル１１より下側の空間に配置される。音声出力スピーカー１５は筐体１７の底部（図１において、先端が細くなっている側、すなわち下側）に配置される。筐体１７の底部は蓋がされておらず、筐体１７の内部と外部は空間的に繋がっている。そのため、音声出力スピーカー１５から出力される音声情報は、筐体１７によって遮られることなく、筐体１７の外部に向けて出力される。
【００１４】
図２は、本考案の実施の形態に係る音声発生装置を備えた照明装置の動作を表わすブロック図である。太陽が出ている時間帯は、ソーラーパネル１１によって発生した電気は充放電制御回路を経由して、蓄電池１４に蓄えられる。一方、太陽が沈み始め、ソーラーパネル１１から発生する電気の量が低下し、蓄電池１４への充電が停止すると、蓄電池１４は電気を放出する段階へ移行する。このように、ソーラーパネル１１から発生する電気の量が所定の閾値より低下した場合、充放電制御回路は日の入りを検知し、蓄電池１４から放電を開始するよう設定できる。充放電制御回路からの信号により、ＬＥＤ点灯回路を介してＬＥＤ１２は点灯する。また、充放電制御回路からの信号により、音声情報発生回路で音声情報を発生させ、音声出力スピーカー１５により音声情報は外部に出力される。なお、例えばタイマー等を用いて、充放電制御回路が日の入りを検知してから所定時間経過後に蓄電池１４から放電を開始するよう設定してもよい。
【００１５】
なお、ＬＥＤ１２の点灯時間帯（ＬＥＤ１２の点灯開始から点灯停止までの時間）、音声情報出力時間帯（音声情報の出力開始から出力停止までの時間）は、タイマーなどを用いて設定及び制御することもできる。例えば、図２に示すように、ＬＥＤ点灯回路、音声情報発生回路、タイマーをマイコン制御することで、ＬＥＤ１２の点灯時間帯および音声情報出力時間帯を制御することが可能となる。なお、タイマー以外にも、例えば温度センサーを用いることで、外部温度を検知し、あらかじめ規定した温度差が生じた場合にＬＥＤ１２の点灯時間帯や音声情報出力時間帯を制御してもよい。
【００１６】
図３は、本考案の実施の形態に係る音声発生装置を備えた照明装置を複数用いた照明システムの概要を示す図である。図３では、本考案の実施の形態に係る音声発生装置を備えた照明装置を２つ備えており、第１の音声発生装置を備えた照明装置１０１と第２の音声発生装置を備えた照明装置１０２の２つを用いた例を示している。 
【００１７】
第１の音声発生装置を備えた照明装置１０１と第２の音声発生装置を備えた照明装置１０２で異なるのは、ＬＥＤ１２の発光色と点灯時間帯、音声情報の種類とその出力時間帯である。第１の音声発生装置を備えた照明装置１０１と第２の音声発生装置を備えた照明装置１０２のその他の構成は、図１および図２に示したものと同じである。
【００１８】
第１の音声発生装置を備えた照明装置１０１は、緑色に光るＬＥＤ１２を搭載している。充放電制御回路により、ＬＥＤ１２は日の入りからすぐに点灯を開始するように設定されており、蓄電池１４の電気が尽きるまで点灯を継続する。また、第１の音声発生装置を備えた照明装置１０１には、コオロギの鳴き声に似た音声情報を発生させる音声情報発生回路を備えている。この音声情報を出力する時間帯（音声情報出力時間帯）は、音声情報の主体（コオロギ）の生態に合わせて設定する。例えば図３では、日の入りからすぐに音声情報の出力が開始され、４時間経過後に出力を停止するよう設定されている。なお、音声情報の出力を停止する手段として、例えばタイマーを用いている。
【００１９】
一方、第２の音声発生装置を備えた照明装置１０２は、ピンク色に光るＬＥＤ１２を搭載している。充放電制御回路により、ＬＥＤ１２は日の入りから１時間後に点灯を開始するように設定されており、蓄電池１４の電気が尽きるまで点灯を継続する。また、第２の音声発生装置を備えた照明装置１０２には、スズムシの鳴き声に似た音声情報を発生させる音声情報発生回路を備えている。この音声情報を出力する時間帯（音声情報出力時間帯）は、音声情報の主体（スズムシ）の生態に合わせて設定する。例えば図３では、日の入りから１時間後に音声情報の出力が開始され、３時間経過後に出力を停止するよう設定されている。なお、音声情報の出力を停止する手段として、例えばタイマーを用いている。
【００２０】
このように、音声情報の主体の生態に合わせて、音声情報出力時間帯を設定することで、自然界に起因する音声情報を自然界に近い状態で表現することができる。これにより、まるで自然の中に身を置いたような環境を人工的に作り出すことができ、人々の精神に癒しを与えることができる。
【００２１】
また、第１の音声発生装置を備えた照明装置１０１と第２の音声発生装置を備えた照明装置１０２で異なる音声情報を使用することで、複数の音声情報を表現でき、より自然界に近い状態を表現することができる。そのため、例えば、第３の音声発生装置を備えた照明装置を準備し、キリギリスの音声情報を発生させ、キリギリスの生態に合わせた音声情報出力時間帯を設定することもできる。この場合、コオロギとスズムシとキリギリスの鳴き声のハーモナイゼーションも可能となる。このように、異なる音声情報を出力する複数の音声発生装置を備えた照明装置で照明システムを構成することにより、季節に合わせた虫の鳴き声を組み合わせて表現することもできる。
【００２２】
また、第１の音声発生装置を備えた照明装置１０１と第２の音声発生装置を備えた照明装置１０２で異なる発光色をもつＬＥＤを使用することで、耳だけでなく、目からも光のバリエーションを楽しむことができ、より一層、人々に癒しの効果をもたらすことが可能となる。
【符号の説明】
【００２３】
１０・・・音声発生装置を備えた照明装置１１・・・ソーラーパネル（太陽電池）１２・・・発光ダイオード（ＬＥＤ）１３・・・基板１４・・・蓄電池１５・・・音声出力スピーカー１６・・・配線１７・・・筐体１０１・・・第１の音声発生装置を備えた照明装置１０２・・・第２の音声発生装置を備えた照明装置    
【図１】
0003212849.tif 000003
【図２】
0003212849.tif 000004
【図３】
0003212849.tif 000005